(57)【要約】【課題】コード式の胴ヒータにより鍋を加熱する炊飯器において、コストをかけずに保温時の鍋の温度を均一にし、鍋に結露してご飯をふやけさせるのを防止する。【解決手段】炊飯器本体１の上面開口部を蓋体７により開閉自在に覆い、炊飯器本体１に鍋２を着脱自在に収納し、鍋２を加熱基板９により加熱制御し、鍋２の側面部外周を保護枠３により覆い、保護枠３の外周にコード式の胴ヒータ４を巻き付ける。胴ヒータ４の端子部５周囲の断熱性をそれ以外の胴ヒータ４外側の断熱性より高く設定し、放熱が少なくなるようにする。【選択図】図１
2005152307.tif 000002
【特許請求の範囲】
【請求項１】
炊飯器本体と、前記炊飯器本体の上面開口部を開閉自在に覆う蓋体と、前記炊飯器本体に着脱自在に収納される鍋と、前記鍋を加熱制御する加熱基板と、前記鍋の側面部外周を覆う保護枠と、前記保護枠の外周に巻き付けたコード式の胴ヒータとを備え、前記胴ヒータの端子部周囲の断熱性をそれ以外の胴ヒータ外側の断熱性より高く設定し、放熱が少なくなるようにした炊飯器。
【請求項２】
加熱基板を、胴ヒータの端子部の対向部の側面に沿って配置した請求項１記載の炊飯器。
【請求項３】
電源コードを巻取る電源コード巻取り機構を備え、前記電源コード巻取り機構を、胴ヒータの端子部の対向部の側面に沿って配置した請求項１記載の炊飯器。
【請求項４】
胴ヒータの端子部の対向部に断熱手段を配置し、胴ヒータの端子部以外の胴ヒータ周囲より放熱が少なくなるようにした請求項１〜３のいずれか１項に記載の炊飯器。
【請求項５】
保護枠の上部を構成する上枠から、保護枠外周を覆う円筒状のリブを構成し、前記リブは、胴ヒータの端子部周囲だけそれ以外に対して高さを高く設定した請求項１〜４のいずれか１項に記載の炊飯器。
【発明の詳細な説明】
【技術分野】
【０００１】
本発明は、コード式の胴ヒータにより鍋を加熱する炊飯器に関するものである。
【背景技術】
【０００２】
従来、この種の炊飯器は図１０〜図１２に示すように構成していた。以下、その構成について説明する。
【０００３】
図１０に示すように、炊飯器本体２１は、内部に鍋２２を着脱自在に収納し、鍋２２の側面部外周を保護枠２３により囲み、保護枠２３の外周にコード式の胴ヒータ２４を取付けている。鍋２２の上部に蓋２５を開閉自在に設けており、鍋２２の下方には底ヒータ２６を取り付け、炊飯器本体２１の下方に胴ヒータ２４や底ヒータ２６を加熱通電制御する制御基板２７を設けている。
【０００４】
胴ヒータ２４は、図１１に示すように、Ｕ字状に配置し、端部を端子部２８で制御基板２７とを電気的に接続する中継リード線２９と接続している。端子部２８は、例えば、りん青銅等の金属板でヒータ部とリード線部とをそれぞれかしめて接続している。この構成では、端子部２８の中継リード線２９側にはヒータの発熱部がなく、また、保護枠２３との絶縁を確保するために、例えばシリコンゴムのような熱伝導の悪い材料で構成した絶縁チューブ３０によって保護されており、この範囲で発熱した熱は保護枠２３には伝わらない。そのため、保温時に鍋２２の側面部が周方向に温度むらが発生する。
【０００５】
これを防ぐため、図１２に示すように、胴ヒータ２４をＭ字状に配置し、端子部２８の周囲を胴ヒータ２４で覆う構成が考えられている（例えば、特許文献１参照）。
【特許文献１】特開平６−３０８４０号公報（第２−３項）
【発明の開示】
【発明が解決しようとする課題】
【０００６】
しかしながら、このような従来の構成では、胴ヒータ２４の配置が複雑で、また胴ヒータ２４を構成するヒータ線の長さが必要以上に長くなり、胴ヒータ２４としての製造コストが高く付くという問題を有していた。また、胴ヒータ２４をＭ字状に配置するためには、通常Ｕ字状では２列配置に対し、４列配置となるため、高さ方向のスペースが必要となり、小型の炊飯器には応用できないという問題も有していた。
【０００７】
本発明は上記従来の課題を解決するもので、コストをかけずに保温時の鍋の温度を均一にし、鍋に結露してご飯をふやけさせるのを防ぐことを目的としている。
【課題を解決するための手段】
【０００８】
本発明は上記目的を達成するために、炊飯器本体の上面開口部を蓋体により開閉自在に覆い、炊飯器本体に鍋を着脱自在に収納し、鍋を加熱基板により加熱制御し、鍋の側面部外周を保護枠により覆い、保護枠の外周にコード式の胴ヒータを巻き付け、胴ヒータの端子部周囲の断熱性をそれ以外の胴ヒータ外側の断熱性より高く設定し、放熱が少なくなるようにしたものである。
【０００９】
これにより、保温時に胴ヒータの端子部付近とそれ以外の温度差を縮めることができて、コストをかけずに鍋の表面温度を均一にすることができ、鍋に結露してご飯をふやけさせるのを防ぐことができる。
【発明の効果】
【００１０】
本発明の炊飯器は、コストをかけずに保温時の鍋の表面温度を均一にすることができ、鍋に結露してご飯をふやけさせるのを防ぐことができ、保温性能を向上することができる。
【発明を実施するための最良の形態】
【００１１】
第１の発明は、炊飯器本体と、前記炊飯器本体の上面開口部を開閉自在に覆う蓋体と、前記炊飯器本体に着脱自在に収納される鍋と、前記鍋を加熱制御する加熱基板と、前記鍋の側面部外周を覆う保護枠と、前記保護枠の外周に巻き付けたコード式の胴ヒータとを備え、前記胴ヒータの端子部周囲の断熱性をそれ以外の胴ヒータ外側の断熱性より高く設定し、放熱が少なくなるようにしたものであり、保温時に胴ヒータの端子部付近とそれ以外の温度差を縮めることができて、コストをかけずに鍋の表面温度を均一にすることができ、鍋に結露してご飯をふやけさせるのを防ぐことができ、保温性能を向上することができる。
【００１２】
第２の発明は、上記第１の発明において、加熱基板を、胴ヒータの端子部の対向部の側面に沿って配置したものであり、加熱基板により胴ヒータの端子部周囲の断熱性を高くし、放熱が少なくなるようにでき、追加部品等を必要とせずに断熱性を向上することができる。
【００１３】
第３の発明は、上記第１の発明において、電源コードを巻取る電源コード巻取り機構を備え、前記電源コード巻取り機構を、胴ヒータの端子部の対向部の側面に沿って配置したものであり、電源コード巻取り機構により胴ヒータの端子部周囲の断熱性を高くし、放熱が少なくなるようにでき、追加部品等を必要とせずに断熱性を向上することができる。
【００１４】
第４の発明は、上記第１〜３のいずれか１つの発明において、胴ヒータの端子部の対向部に断熱手段を配置し、胴ヒータの端子部以外の胴ヒータ周囲より放熱が少なくなるようにしたものであり、胴ヒータの端子部周囲の断熱性を高くすることができ、外部への放熱を防いで、保温時に胴ヒータの端子部付近とそれ以外の温度差を縮めることができて、鍋の表面温度を均一にすることができ、鍋に結露してご飯をふやけさせるのを防ぐことができ、保温性能を向上することができる。
【００１５】
第５の発明は、上記第１〜４のいずれか１つの発明において、保護枠の上部を構成する上枠から、保護枠外周を覆う円筒状のリブを構成し、前記リブは、胴ヒータの端子部周囲だけそれ以外に対して高さを高く設定したものであり、部品の配置や外郭形状に対する制約条件を受けることなく、自在に断熱性を高くすることができ、外部への放熱を防いで、保温時に胴ヒータの端子部付近とそれ以外の温度差を縮めることができて、鍋の表面温度を均一にすることができ、鍋に結露してご飯をふやけさせるのを防ぐことができ、保温性能を向上することができる。
【００１６】
以下、本発明の実施の形態について、図面を参照しながら説明する。なお、この実施の形態によって本発明が限定されるものではない。
【００１７】
（実施の形態１）
図１に示すように、炊飯器本体１は、内部に鍋２を着脱自在に収納し、鍋２の側面部外周を保護枠３により囲んでいる。保護枠３は、例えばアルミニウムめっき鋼板で構成しており、この外周部にコード式の胴ヒータ４を巻きつけ、アルミニウム箔テープで貼付けている。
【００１８】
胴ヒータ４は、図２に示すように、Ｕ字形状に構成しており、端子部５によって中継リード線と接続されている。胴ヒータ４は、保護枠３の外周を一周して両端のヒータ線と端子部５が重ならない範囲で突き合わせるように貼付けている。
【００１９】
保護枠４の上部は樹脂で構成した上枠６で覆っている。鍋２および上枠６の上部は蓋体７により開閉自在に覆っており、蓋体７の鍋２との対向面を加熱する蓋ヒータ８を配設している。保護枠３の横には、鍋２への加熱や、胴ヒータ４、蓋ヒータ８への加熱通電を制御する加熱基板９を略鉛直方向に配設している。また、保護枠３の横には、電源コード巻取り機構１０を略鉛直方向に配設している。
【００２０】
ここで、図３に示すように、保護枠３の外周部の内、斜線で示す範囲だけ断熱性を高く設定している。斜線で示す範囲は、端子部５を中心に配置するように設定している。
【００２１】
上記構成において動作、作用を説明する。炊飯が終了し、保温を開始すると、加熱基板９は胴ヒータ４や蓋ヒータ８への通電を開始し、ご飯の温度を一定に保つ。このときの保護枠３の鍋２側で、周方向の温度分布を図４に示している。図４で、縦軸は保護枠３の温度を示し、横軸は胴ヒータ４の端子部５を起点にして周方向の位置を示したものである。高さは保護枠３の上方を、一定の高さに合わせて測定している。この中で、実線で示したのが、本実施の形態で示した構成における温度分布である。
【００２２】
ここで、端子部５付近の断熱性が高いため、この部位からの放熱が少なく、周囲から伝わってきた熱とともに溜まるため、端子部５の周囲とそれ以外との温度差が発生しにくく、全体的に比較的均一な温度分布になっているのがわかる。
【００２３】
一方、従来例に示した胴ヒータ４をＵ字状に配置したときの保護枠３の周囲の断熱性を全周一定にしたときの温度を測定したものを点線で示している。実線に比べて端子部５付近だけ温度が低く、その反対側が最も高いという不均一な分布になっているのがわかる。
【００２４】
以上のように、本実施の形態においては、胴ヒータ４の端子部５周囲の断熱性をそれ以外の胴ヒータ４外側の断熱性より高く設定し、放熱が少なくなるようにしたので、胴ヒータ４を単純にＵ字状に配置しても、保温時の保護枠３の周方向の温度分布はほぼ均一になり、鍋２の表面温度の温度むらをなくすことができ、ご飯の部分的な乾燥や結露によるふやけを防ぐことができ、保温性能を向上することができる。また、従来例のように、胴ヒータ４の形状をＭ字状のような複雑な引き回しをする必要はなくなる。
【００２５】
なお、本実施の形態では、胴ヒータ４の形状をＵ字状で説明しているが、胴ヒータ４を構成するヒータ線を短くして、Ｉ字状に配置してもよく、同様の効果を得ることができる。
【００２６】
（実施の形態２）
図５に示すように、コード式の胴ヒータ４は、鍋（図示せず）の側面部外周を覆う保護枠３の外周に巻き付け、この胴ヒータ４の端子部５の対向部の側面に沿って、加熱基板９を略鉛直方向に配置している。加熱基板９は、保護枠３側に設けた樹脂材料で構成した基板ベース１２によって支えている。他の構成は上記実施の形態１と同じである。
【００２７】
上記構成において動作、作用を説明する。炊飯が終了し、保温を開始すると、加熱基板９は胴ヒータ４や蓋ヒータ８への通電を開始し、ご飯の温度を一定に保つ。ここで、基板ベース１２を保護枠３の側面に配置しているので、基板ベース１２と加熱基板９と保護枠３によって挟まれた空気層が構成され、この部位の空気対流を抑えられることができて、断熱性が高まる。このとき、基板ベース１２に最も近い位置の断熱性が最も高いため、胴ヒータ４の端子部５をこの付近に配置することで、この部位からの放熱を少なくすることができる。
【００２８】
以上のように、本実施の形態においては、加熱基板９を、胴ヒータ４の端子部５の対向部の側面に沿って配置したので、加熱基板９により胴ヒータ４の端子部５の周囲の断熱性を高くし、放熱が少なくなるようにでき、追加部品等を必要とせずに断熱性を向上することができ、保温時の保護枠３の温度分布をほぼ均一にすることができる。
【００２９】
（実施の形態３）
図６に示すように、コード式の胴ヒータ４は、鍋（図示せず）の側面部外周を覆う保護枠３の外周に巻き付け、この胴ヒータ４の端子部５の対向部の側面に沿って、電源コード巻取り機構１０を略鉛直方向に配置している。電源コード巻取り機構１０は、広く一般的に用いられている電源コードをぜんまいの力で自在に出し入れさせる機構であり、この中に電源コードを収納している。他の構成は上記実施の形態１と同じである。
【００３０】
上記構成において動作、作用を説明する。炊飯が終了し、保温を開始すると、加熱基板９は胴ヒータ４や蓋ヒータ８への通電を開始し、ご飯の温度を一定に保つ。ここで、電源コード巻取り機構１０を保護枠３の側面に配置しているので、電源コード巻取り機構１０と保護枠３によって挟まれた部位に空気層が構成され、この部位の空気対流を抑えられることができて、断熱性が高まる。このとき、電源コード巻取り機構１０に最も近い位置の断熱性が最も高いため、胴ヒータ４の端子部５をこの付近に配置することで、この部位からの放熱を少なくすることができる。
【００３１】
以上のように、本実施の形態においては、電源コード巻取り機構１０を、胴ヒータ４の端子部５の対向部の側面に沿って配置したので、電源コード巻取り機構１０により胴ヒータ４の端子部５の周囲の断熱性を高くし、放熱が少なくなるようにでき、追加部品等を必要とせずに断熱性を向上することができ、保温時の保護枠３の温度分布をほぼ均一にすることができる。
【００３２】
なお、本実施の形態では、電源コード巻取り機構１０と端子部５との位置関係で説明したが、上記実施の形態２で説明した加熱基板９と隣接させ、組み合わせて断熱部を構成すれば、さらに大きな効果を得ることができる。
【００３３】
（実施の形態４）
図７に示すように、コード式の胴ヒータ４は、鍋（図示せず）の側面部外周を覆う保護枠３の外周に巻き付け、この胴ヒータ４の端子部５の対向部、すなわち保護枠３の外周の内、端子部５を中心とした全周のうちの約１／４程度の範囲に断熱手段１３を配置し、胴ヒータ４の端子部５以外の胴ヒータ４周囲より放熱が少なくなるようにしている。断熱手段１３は、グラスウール製の断熱材が一般的に用いられるが、保護枠３からの放熱を防ぐものであれば何でもよい。他の構成は上記実施の形態１と同じである。
【００３４】
上記構成において動作、作用を説明する。炊飯が終了し、保温を開始すると、加熱基板９は胴ヒータ４や蓋ヒータ８への通電を開始し、ご飯の温度を一定に保つ。ここで、胴ヒータ４の端子部５の対向部に断熱手段１３を配置しているので、保護枠３周囲の断熱性を自在に調整することができる。
【００３５】
以上のように、本実施の形態においては、胴ヒータ４の端子部５の対向部に断熱手段１３を配置し、胴ヒータ４の端子部５以外の胴ヒータ４周囲より放熱が少なくなるようにしたので、胴ヒータ４の端子部５周囲の断熱性を高くすることができ、外部への放熱を防いで、保温時に胴ヒータ４の端子部５付近とそれ以外の温度差を縮めることができて、鍋の表面温度を均一にすることができ、鍋に結露してご飯をふやけさせるのを防ぐことができ、保温性能を向上することができる。
【００３６】
なお、本実施の形態では、断熱手段１３を端子部５を中心とした全周のうちの約１／４程度にだけ配置するように説明したが、例えば、加熱基板９が側面に配置されている部位は加熱基板９の断熱効果を利用し、その分断熱手段１３を省略できる等、周囲の構成によって最適な設定を調整するため、特に範囲の幅が限定されるものではない。
【００３７】
また、例えば、断熱手段１３を全周に巻き、その厚みを場所によって変化させることで、断熱性を調整しても同様の効果が得られることはいうまでもない。
【００３８】
（実施の形態５）
図８に示すように、保護枠３の上側に、保護枠３の上部を構成する上枠６を配置し、外郭までつなげて炊飯器本体１内部と外部との間を仕切っている。この上枠６より保護枠３の外周を覆うように外周に沿って円筒状のリブ１４を全周にわたって突き出している。このリブ１４の高さを、端子部５の周囲は、図８に示すように、保護枠３の先端部に重なり合う程度に高くし、それ以外は、図９に示すように、保護枠３の先端部との間に空隙ができる程度の高さとしている。他の構成は上記実施の形態１と同じである。
【００３９】
上記構成において動作、作用を説明する。炊飯が終了し、保温を開始すると、加熱基板９は胴ヒータ４や蓋ヒータ８への通電を開始し、ご飯の温度を一定に保つ。ここで、端子部５周囲は、リブ１４の高さを保護枠３の先端部に重なり合う程度に高くしているので、保護枠３の周囲の空気層が外部から閉ざされるため、高い断熱性を得られる。一方、端子部５以外は、保護枠３の先端部との間に空隙ができる程度の高さとしているので、外部の冷気との入れ替わりが多いため、断熱性は低くなる。
【００４０】
以上のように、本実施の形態においては、保護枠３の外周を覆うリブ１４の高さを、胴ヒータ４の端子部５周囲だけそれ以外に対して高くしたので、部品の配置や外郭形状に対する制約条件を受けることなく、自在に断熱性を高くすることができ、外部への放熱を防いで、保温時に胴ヒータ４の端子部５付近とそれ以外の温度差を縮めることができて、鍋の表面温度を均一にすることができ、鍋に結露してご飯をふやけさせるのを防ぐことができ、保温性能を向上することができる。
【産業上の利用可能性】
【００４１】
以上のように、本発明にかかる炊飯器は、コストをかけずに保温時の鍋の表面温度を均一にすることができ、鍋に結露してご飯をふやけさせるのを防ぐことができ、保温性能を向上することができるので、コード式の胴ヒータにより鍋を加熱する炊飯器として有用である。
【図面の簡単な説明】
【００４２】
【図１】本発明の実施の形態１の炊飯器の一部切欠した側面図
【図２】同炊飯器の胴ヒータの一部切欠した側面図
【図３】同炊飯器の要部上面図
【図４】同炊飯器の保護枠の鍋側での周方向の温度分布を示す特性図
【図５】本発明の実施の形態２の炊飯器の要部上面図
【図６】本発明の実施の形態３の炊飯器の要部上面図
【図７】本発明の実施の形態４の炊飯器の要部上面図
【図８】本発明の実施の形態５の炊飯器の要部断面図
【図９】本発明の実施の形態５の炊飯器の他の切断面における要部断面図
【図１０】従来の炊飯器の一部切欠した側面図
【図１１】同炊飯器の胴ヒータの一部切欠した側面図
【図１２】同炊飯器の胴ヒータの他の例の一部切欠した側面図
【符号の説明】
【００４３】
１  炊飯器本体
２  鍋
３  保護枠
４  胴ヒータ
５  端子部
７  蓋体
９  加熱基板
【図１】
2005152307.tif 000003
【図２】
2005152307.tif 000004
【図３】
2005152307.tif 000005
【図４】
2005152307.tif 000006
【図５】
2005152307.tif 000007
【図６】
2005152307.tif 000008
【図７】
2005152307.tif 000009
【図８】
2005152307.tif 000010
【図９】
2005152307.tif 000011
【図１０】
2005152307.tif 000012
【図１１】
2005152307.tif 000013
【図１２】
2005152307.tif 000014